(57)【要約】【課題】緊急通報を行うことが困難である状況下でも、緊急通報することができ、緊急通報静観モードを簡単に解除することができるようにする。【解決手段】公衆移動通信で信号を送受信する無線送受信部１１、これにより送信される送話信号を入力するマイク部１２、操作入力部１５を備え、これで緊急通報静観モードを選択する操作が行われると、そのモードに移行し、マイク部１２を動作状態に切り換え、無線送受信部１１を通じて予め設定された緊急通報先への通信を開始するように携帯無線端末１を構成する。そして、予めマイク部１２を介して得た携行者の指示内容を記憶する記憶部１６を設け、緊急通報静観モード時に、マイク部１２で入力される送話信号の内容が、記憶部１６に記憶された指示内容に対応すれば、緊急通報静観モードを解除し、無線送受信部１１を通じた緊急通報先への通信を終了するようにした。【選択図】  図１
2004357246.tif 000002
【特許請求の範囲】
【請求項１】
公衆移動通信により信号を送受信する無線送受信手段と、この無線送受信手段によって送受信される送受話信号をそれぞれ入出力する音声入力手段および音声出力手段と、操作入力手段とを備え、前記操作入力手段で緊急通報静観モードを選択する操作が行われると、その緊急通報静観モードに移行して、前記音声入力手段および前記音声出力手段をそれぞれ動作状態および動作禁止状態に切り換えるとともに、前記無線送受信手段を通じて、予め設定された緊急通報先への通信を開始する携帯無線端末であって、
予め前記音声入力手段を介して得た携行者の指示内容を記憶する記憶手段を備え、前記緊急通報静観モード時に、前記音声入力手段によって入力される送話信号の内容が、前記記憶手段に予め記憶された指示内容に対応すれば、当該緊急通報静観モードを解除して待機モードに移行し、前記無線送受信手段を通じた前記緊急通報先への通信を終了する
ことを特徴とする携帯無線端末。
【請求項２】
公衆移動通信により信号を送受信する無線送受信手段、この無線送受信手段によって送受信される送受話信号をそれぞれ入出力する音声入力手段および音声出力手段、および操作入力手段を備え、前記操作入力手段で緊急通報静観モードを選択する操作が行われると、その緊急通報静観モードに移行して、前記音声入力手段および前記音声出力手段をそれぞれ動作状態および動作禁止状態に切り換えるとともに、前記無線送受信手段を通じて、予め設定された緊急通報先への通信を開始する携帯無線端末と、この携帯無線端末の携行者の装身具に固着され、所定情報を含む信号を定期的に無線送信する無線機とにより構成される携帯無線システムであって、
前記携帯無線端末は、前記無線機によって定期的に無線送信される信号からこれに含まれる所定情報を受信する無線受信手段を備え、前記緊急通報静観モード時に、前記無線受信手段により前記無線機からの所定情報が所定時間以上受信されなくなると、当該緊急通報静観モードを解除して待機モードに移行し、前記無線送受信手段を通じた前記緊急通報先への通信を終了する
ことを特徴とする携帯無線システム。
【発明の詳細な説明】
【０００１】
【発明の属する技術分野】
本発明は、公衆移動通信により携行者の周囲状況を、予め設定された緊急通報先にてモニタ可能とする携帯無線端末および携帯無線システムに関するものである。
【０００２】
【従来の技術】
従来、この種の携帯無線端末は、種々提案されまた市販されている。例えば、緊急通報を行うことが困難である状況下でも、緊急通報することができる携帯無線端末が、本出願人によって別途提案されている（特願２００２−１６８８６５号）。
【０００３】
すなわち、公衆移動通信により信号を送受信する無線送受信手段と、この無線送受信手段によって送受信される送受話信号をそれぞれ入出力する音声入力手段および音声出力手段と、発光表示により動作状況を示す発光手段と、操作入力手段と、この操作入力手段で緊急通報通常モードを選択する操作が行われると、その緊急通報通常モードに移行して、音声入力手段、音声出力手段および発光手段を動作状態に切り換えるとともに、無線送受信手段を通じて、予め設定された緊急通報先への通信を開始する一方、操作入力手段で緊急通報静観モードを選択する操作が行われると、その緊急通報静観モードに移行して、音声入力手段と音声出力手段および発光手段とをそれぞれ動作状態と動作禁止状態とに切り換えるとともに、無線送受信手段を通じて、予め設定された緊急通報先への通信を開始する制御を実行するモード切換制御手段とを備える携帯無線端末が、提案されている。
【０００４】
このような携帯無線端末によれば、緊急通報静観モードに移行して、無線送受信手段を通じて、予め設定された緊急通報先への通信を開始するとき、音声入力手段と音声出力手段および発光手段とをそれぞれ動作状態と動作禁止状態とに切り換えることにより、携帯無線端末の携行者の状況を緊急通報することができるとともに、携帯無線端末が緊急通報していることを周囲の人に悟られないようにすることができるため、緊急通報を行うことが困難である状況下でも、緊急通報することができる。
【０００５】
なお、特許文献１には、通報操作を行う端末を、ＧＰＳ電波を受信する端末と切り離すことで、ＧＰＳ衛星からの受信できない屋内において通報操作が可能で、ＧＰＳデータをセンター装置側へ送ることができる通報システムが開示されている。
【０００６】
【特許文献１】
特開２００１−２０９８９０号公報
【０００７】
【発明が解決しようとする課題】
しかしながら、上記携帯無線端末では、操作入力手段で緊急通報静観モードを選択する操作が行われると、緊急通報静観モードに移行するようになっているため、他人によって緊急通報静観モードに簡単に切り換えられてしまうという問題があった。
【０００８】
このため、パスワード等の入力を必要とする構成に変えれば、他人によって緊急通報静観モードに切り換えられるのを防止することができる反面、緊急通報を行うことが困難である状況下で、緊急通報の操作が面倒となり、上記携帯無線端末の根幹に関わる問題が生じてしまう。
【０００９】
本発明は、上記事情に鑑みてなされたものであり、緊急通報を行うことが困難である状況下でも、緊急通報することができるとともに、緊急通報静観モードを簡単に解除しうる携帯無線端末および携帯無線システムを提供することを目的とする。
【００１０】
【課題を解決するための手段】
上記課題を解決するための請求項１記載の発明は、公衆移動通信により信号を送受信する無線送受信手段と、この無線送受信手段によって送受信される送受話信号をそれぞれ入出力する音声入力手段および音声出力手段と、操作入力手段とを備え、前記操作入力手段で緊急通報静観モードを選択する操作が行われると、その緊急通報静観モードに移行して、前記音声入力手段および前記音声出力手段をそれぞれ動作状態および動作禁止状態に切り換えるとともに、前記無線送受信手段を通じて、予め設定された緊急通報先への通信を開始する携帯無線端末であって、予め前記音声入力手段を介して得た携行者の指示内容を記憶する記憶手段を備え、前記緊急通報静観モード時に、前記音声入力手段によって入力される送話信号の内容が、前記記憶手段に予め記憶された指示内容に対応すれば、当該緊急通報静観モードを解除して待機モードに移行し、前記無線送受信手段を通じた前記緊急通報先への通信を終了することを特徴とする。
【００１１】
請求項２記載の発明は、公衆移動通信により信号を送受信する無線送受信手段、この無線送受信手段によって送受信される送受話信号をそれぞれ入出力する音声入力手段および音声出力手段、および操作入力手段を備え、前記操作入力手段で緊急通報静観モードを選択する操作が行われると、その緊急通報静観モードに移行して、前記音声入力手段および前記音声出力手段をそれぞれ動作状態および動作禁止状態に切り換えるとともに、前記無線送受信手段を通じて、予め設定された緊急通報先への通信を開始する携帯無線端末と、この携帯無線端末の携行者の装身具に固着され、所定情報を含む信号を定期的に無線送信する無線機とにより構成される携帯無線システムであって、前記携帯無線端末は、前記無線機によって定期的に無線送信される信号からこれに含まれる所定情報を受信する無線受信手段を備え、前記緊急通報静観モード時に、前記無線受信手段により前記無線機からの所定情報が所定時間以上受信されなくなると、当該緊急通報静観モードを解除して待機モードに移行し、前記無線送受信手段を通じた前記緊急通報先への通信を終了することを特徴とする。
【００１２】
【発明の実施の形態】
（第１実施形態）
図１は携帯無線端末の構成図であり、この図を参照しながら本発明の第１実施形態について説明する。
【００１３】
第１実施形態の携帯無線端末１は、予め設定された例えば通報センタまたは自宅などの緊急通報先に無線で緊急通報を行うためのものであり、図１に示すように、無線送受信部１１と、マイク部１２と、スピーカ部１３と、発光部１４と、操作入力部１５とを、「従来の技術」の欄で説明した携帯無線端末（以下「携帯無線端末Ａ」という）と同様に備えているほか、携帯無線端末Ａとの相違点として、記憶部１６と、制御部１０とを備えている。なお、電源は、電池またはバッテリが使用される。
【００１４】
無線送受信部１１は、アンテナを含み、例えばデータ通信が可能なＰＨＳなどと同様に構成され、公衆移動通信により信号を送受信するものである。
【００１５】
マイク部１２は、例えば、マイクと、このマイクで入力された周囲の音や携帯無線端末１の携行者の声などの音声信号を増幅する増幅器と、この増幅器で増幅された音声信号を音声データにＡ／Ｄ変換するＡ／Ｄ変換器とにより構成され、無線送受信部１１によって送信される送話信号を入力するものである。
【００１６】
スピーカ部１３は、例えば、無線送受信部１１からの音声データをアナログの音声信号にＤ／Ａ変換するＤ／Ａ変換器と、このＤ／Ａ変換器によって変換された音声信号を増幅する増幅器と、この増幅器で増幅された音声信号を出力するスピーカとにより構成され、無線送受信部１１によって受信される受話信号を音声で出力するものである。
【００１７】
発光部１４は、例えばＬＥＤなどにより構成され、その発光表示により携帯無線端末１の動作状況を示すものである。例えば、通信状態、緊急通報通常モードが選択されている状態などが発光表示によって示される。
【００１８】
操作入力部１５は、例えば、通常モード用スイッチおよび静観モード用スイッチなどにより構成され、緊急通報通常モードおよび緊急通報静観モードなどの各種モードのいずれかを選択するためのものである。
【００１９】
記憶部１６は、例えば読み書き可能な半導体記憶装置により構成され、予めマイク部１２を介して得た携行者の指示内容を記憶している。
【００２０】
制御部１０は、ＣＰＵ、ＲＡＭおよびＲＯＭなどにより構成され、携帯無線端末１全般の制御などの処理を実行するものであり、モード切換制御機能１００を携帯無線端末Ａと同様に有しているほか、第１実施形態の特徴として、音声認識機能１０１、登録機能１０２および静観モード解除機能１０３を有している。
【００２１】
モード切換制御機能１００は、緊急通報通常モードまたは緊急通報静観モードに切り換え、そのモードに応じた緊急通報の制御を実行するものである。具体的には、操作入力部１５で通常モード用スイッチが押下され、緊急通報通常モードを選択する操作が行われると、その緊急通報通常モードに移行して、マイク部１２、スピーカ部１３および発光部１４を動作状態に切り換えるとともに、無線送受信部１１を通じて、予め設定された緊急通報先への通信を開始する各処理が実行される。一方、操作入力部１５で静観モード用スイッチが押下され、緊急通報静観モードを選択する操作が行われると、その緊急通報静観モードに移行して、マイク部１２とスピーカ部１３および発光部１４とをそれぞれ動作状態と動作禁止状態とに切り換えるとともに、無線送受信部１１を通じて、予め設定された緊急通報先への通信を開始する各処理が実行される。
【００２２】
音声認識機能１０１は、マイク部１２を介して得られる携行者の指示内容（音声データ）を認識してテキストに変換する処理を実行するものである。
【００２３】
登録機能１０２は、予め、操作入力部１５で指示内容を記憶部１６に記憶するための操作が行われたときに、マイク部１２および音声認識機能１０１を介して携行者の指示内容を得て、これを記憶部１６に記憶する処理を実行するものである。
【００２４】
静観モード解除機能１０３は、緊急通報静観モード時に、マイク部１２および音声認識機能１０１を介して入力される送話信号の内容が、記憶部１６に予め記憶された指示内容に対応するか否かの対比をする対比処理Ｐ１と、対応するという対比結果が得られれば、当該緊急通報静観モードを解除して待機モードに移行し、マイク部１２を非動作状態に切り換えるとともに、無線送受信部１１を通じた緊急通報先への通信を終了する通信終了処理Ｐ２と、対応しないという対比結果が得られれば、当該緊急通報静観モードを維持して同様の処理を繰り返す維持反復処理Ｐ３とを実行するものである。なお、上記非動作状態は、動作状態ではあるが無線送受信部１１に対しては切断状態にある実質的な非動作状態をも含むことは言うまでもない。
【００２５】
上記構成の携帯無線端末１の基本動作は、携帯無線端末Ａと同様である。すなわち、通常モード用スイッチが押下されると、緊急通報通常モードに移行し、マイク部１２、スピーカ部１３および発光部１４が動作状態に切り換わり、無線送受信部１１を通じて、予め設定された緊急通報先（例えば通報センタ）との通信が開始する。この後、無線送受信部１１を通じて、通報センタから認証用のＩＤ要求を受けると、携帯無線端末１に割り当てられているＩＤとともに緊急通報通常モードであることを示す状態情報が通報センタに送信される。そして、通報センタで適正な認証結果が得られると、携帯無線端末１と通報センタとの間で双方向のデータ通信／音声通話が実行される。
【００２６】
これに対し、静観モード用スイッチが押下されると、緊急通報静観モードに移行し、マイク部１２とスピーカ部１３および発光部１４とがそれぞれ動作状態と動作禁止状態とに切り換わり、無線送受信部１１を通じて、通報センタへの通信が開始する。この後、無線送受信部１１を通じて、通報センタから認証用のＩＤ要求を受けると、携帯無線端末１に割り当てられているＩＤとともに緊急通報静観モードであることを示す状態情報が通報センタに送信される。そして、通報センタで適正な認証結果が得られると、携帯無線端末１と通報センタとの間でデータ通信／音声通話が実行される。このとき、データ通信は双方向であるが、音声通話は、実質的に携帯無線端末１から通報センタ２への片方向となる。
【００２７】
次に、第１実施形態の特徴となる動作について説明する。予め、操作入力部１５で指示内容を記憶部１６に記憶するための操作を行うと、例えば発光部１４の点滅ないし点灯により指示内容を発するように促す表示がなされる。これに応じて指示内容を発すれば、マイク部１２および音声認識機能１０１を介して、携行者の発した指示内容が取り込まれて記憶部１６に記憶される。続いて待機モードに移行する。なお、ＬＣＤなどをさらに備え、記憶部１６に記憶された指示内容をテキストで表示するようにしてもよく、あるいは音声合成機能をさらに備え、記憶部１６に記憶された指示内容を読み上げるようにしてもよい。
【００２８】
そして、緊急通報静観モードにおいては、マイク部１２および音声認識機能１０１を介して入力される送話内容が、記憶部１６に予め記憶された指示内容に対応するかどうかの判別が行われる。例えば、送話内容が指示内容を含んでいれば、あるいは指示内容と所定率以上の割合で一致する内容を含んでいれば、対応すると判別される。
【００２９】
対応すると判別されれば、緊急通報静観モードが解除されて待機モードに移行し、マイク部１２が非動作状態に切り換えられるとともに、無線送受信部１１を通じた緊急通報先への通信が終了する。
【００３０】
これに対し、対応しないと判別されれば、緊急通報静観モードが維持され、同様の処理が繰り返し実行される。
【００３１】
以上、第１実施形態によれば、他人によって緊急通報静観モードに切り換えられた場合にその緊急通報静観モードを解除するための指示言葉を、上記指示内容として記憶部１６に予め記憶（登録）しておくことにより、もし他人が静観モード用スイッチを不注意等で押下したとしても、上記指示言葉を言うことにより、緊急通報静観モードを簡単にしかも即座に解除することができる。
【００３２】
なお、第１実施形態では、マイク部１２を介して入力される送話内容が、記憶部１６に予め記憶された指示内容に対応するかどうかの判別を、音声認識機能１０１を介して行う構成になっているが、マイク部１２におけるＡ／Ｄ変換器から得られる音声データを記憶部１２に予め記憶しておき、上記判別を音声データベースで行う構成でもよい。この構成では、マイク部１２を介して入力される送話内容の音声データが、記憶部１６に予め記憶された指示内容の音声データと所定率以上合致すれば、対応すると判別され、そうでなければ、対応しないと判別される。
【００３３】
また、上記指示内容は、キーワードのような指示言葉に限らず、例えば特定量を超す大声でもよく、携行者のくせを記録するようにしてもよいが、瞬時に発することができ、誤って緊急通報静観モードが解除されることのない音声が好ましい。ただし、音量を判定に用いる場合には、入力音声のレベルを計測する計測手段を設ける必要がある。
【００３４】
（第２実施形態）
図２は携帯無線システムの構成図であり、この図を参照しながら本発明の第２実施形態について説明する。
【００３５】
上記第１実施形態では、携帯無線端末の携行者（所有者）が、他人によって緊急通報静観モードに切り換えられたことに気付く必要があり、もし気付かなければ、緊急通報静観モードを解除することができなくなる。
【００３６】
第２実施形態の携帯無線システムは、携帯無線端末１Ａと、無線機２とにより構成され、例えば他人によって緊急通報静観モードに切り換えられたまま放置され、携行者がそれに気付かずに携帯無線端末１Ａから離れたとしても、緊急通報静観モードを簡単に解除することができるようになっていることを特徴とする。
【００３７】
無線機２は、送信信号の送信間隔などの送信パターンを設定するための送信パターン設定入力部２１と、少なくとも無線送信機能を持つ、特定省電力、ＩｒＤＡなどの無線通信部２２と、送信パターン設定入力部２１で設定された送信間隔などに基づいて、無線通信部２２を通じて、例えば当該無線機２の識別情報などの所定情報を含む信号を定期的に無線送信する制御を行う制御部２３とを、携帯無線端末１Ａの携行者の装身具（例えばベルトバックル等）に固着される小型のハウジング（図示せず）内に備えて構成される。なお、電源は、電池またはバッテリが使用される。
【００３８】
携帯無線端末１Ａは、無線送受信部１１と、マイク部１２と、スピーカ部１３と、発光部１４と、操作入力部１５とを、第１実施形態の携帯無線端末１と同様に備えているほか、携帯無線端末１との相違点として、無線通信部１７と、制御部１０Ａとを備えている。
【００３９】
無線通信部１７は、無線通信部２２に対応し、少なくとも無線受信機能を持つものであり、無線機２の無線通信部２２によって定期的に無線送信された信号からこれに含まれる所定情報を受信し、これを制御部１０Ａに出力する。なお、無線機２からの信号レベルを計測する計測手段を持ち、この計測手段で計測された信号レベルが所定レベル（例えば無線通信部２２と無線通信部１７との離間距離が１０ｍ程度になるレベル）を超えた場合に、上記信号から所定情報を受信し、所定レベルを下回った場合には上記信号から所定情報を受信するのを中止する構成でも構わない。
【００４０】
制御部１０Ａは、ＣＰＵ、ＲＡＭおよびＲＯＭなどにより構成され、携帯無線端末１Ａ全般の制御などの処理を実行するものであり、モード切換制御機能１００を第１実施形態と同様に有しているほか、第２実施形態の特徴として、静観モード解除機能１０３Ａを有している。
【００４１】
静観モード解除機能１０３Ａは、緊急通報静観モード時に、無線通信部１７により無線機２からの所定情報が所定時間以上受信されなくなったか否かの切断判定をする切断判定処理Ｐ１Ａと、所定情報が所定時間以上受信されなくなったとする判定結果が得られれば、当該緊急通報静観モードを解除して待機モードに移行し、マイク部１２を非動作状態に切り換えるとともに、無線送受信部１１を通じた緊急通報先への通信を終了する通信終了処理Ｐ２と、上記判定結果が得られなければ、当該緊急通報静観モードを維持して同様の処理を繰り返す維持反復処理Ｐ３とを実行するものである。
【００４２】
上記構成の携帯無線システムにおける携帯無線端末１Ａの基本動作は、第１実施形態の携帯無線端末１と同様であり、静観モード解除機能１０３Ａによる動作が第１実施形態と相違する。すなわち、他人が例えば、携行者に気づかれないように、携帯無線端末１Ａの静観モード用スイッチを押下し、それをそのまま放置した場合に、そのことに気付かずに携行者が移動したとすると、携行者の装身具に固着された無線機２からの所定情報が、放置された携帯無線端末１Ａによって受信されなくなる。そして、無線機２からの所定情報が受信されなくなってから所定時間が経過すると、携帯無線端末１Ａにおいて、静観モード解除機能１０３Ａにより、緊急通報静観モードが解除されて待機モードに移行し、マイク部１２が非動作状態に切り換えられるとともに、無線送受信部１１を通じた緊急通報先への通信が終了する。
【００４３】
これにより、例えば他人によって緊急通報静観モードに切り換えられたまま放置され、携行者がそれに気付かずに携帯無線端末１Ａから離れたとしても、緊急通報静観モードを簡単にしかも意識することなく解除することができる。また、上記動作例に限らず、携帯無線端末１Ａが他人の車内などに放置され、その車が移動するような場合でも、緊急通報静観モードを解除することができる。
【００４４】
なお、上記各実施形態において、操作入力部１５で緊急通報通常モードまたは緊急通報静観モードを解除するための解除モードまたは待機モードを選択する操作が行われると、緊急通報通常モードまたは緊急通報静観モードを解除して、待機モードに移行し、マイク部１２およびスピーカ部１３を非動作状態に切り換えるとともに、無線送受信部１１を通じた緊急通報先への通信を終了し、発光部１４のあるＬＥＤを常時点滅ないし点灯させて待機モード中であることを示すように構成してもよい。この構成の場合、待機モードでは、マイク部１２、スピーカ部１３および発光部１４のうち、マイク部１２およびスピーカ部１３が非動作状態となる。
【００４５】
【発明の効果】
以上のことから明らかなように、請求項１記載の発明によれば、緊急通報静観モード時に、音声入力手段によって入力される送話信号の内容が、記憶手段に予め記憶された指示内容に対応すれば、緊急通報静観モードが解除されて待機モードに移行し、無線送受信手段を通じた緊急通報先への通信が終了するので、緊急通報静観モードを解除するための指示言葉を、上記指示内容として記憶手段に予め記憶しておけば、もし他人が緊急通報静観モードに切り換えたとしても、上記指示言葉を言うことにより、緊急通報静観モードを簡単にしかも即座に解除することができる。
【００４６】
請求項２記載の発明によれば、緊急通報静観モード時に、無線受信手段により無線機からの所定情報が所定時間以上受信されなくなると、緊急通報静観モードが解除されて待機モードに移行し、無線送受信手段を通じた緊急通報先への通信が終了するので、他人が緊急通報静観モードに切り換えてそのまま放置し、それに気付かずに無線機から携帯無線端末が離れる状況になったとしても、緊急通報静観モードを簡単にしかも意識することなく解除することができる。
【図面の簡単な説明】
【図１】携帯無線端末の構成図である（第１実施形態）。
【図２】携帯無線システムの構成図である（第２実施形態）。
【符号の説明】
１，１Ａ  携帯無線端末
１０，１０Ａ  制御部
１１  無線送受信部
１２  マイク部
１３  スピーカ部
１４  発光部
１５  操作入力部
１６  記憶部
１７  無線通信部
２  無線機
２１  送信パターン設定入力部
２２  無線通信部
２３  制御部
【図１】
2004357246.tif 000003
【図２】
2004357246.tif 000004